(57)【特許請求の範囲】
【請求項１】
リーダーデバイスと、
前記リーダーデバイスと動作可能に結合される複数の参加者デバイスとを備え、前記リーダーデバイスは、
それぞれの仮想現実（ＶＲ）コンテンツに対応する複数のプレビュー画像を表示するように構成されたインターフェイスと、
前記複数のプレビュー画像のうちのプレビュー画像を選択するように構成された選択デバイスと、
前記リーダーデバイスおよび前記複数の参加者デバイスにおける前記選択されたプレビュー画像に関連付けられるそれぞれのＶＲコンテンツの提示を制御し、前記複数の参加者デバイスの各々の少なくとも１つの機能を制御するように構成されたリーダーアプリケーションとを含み、
前記複数の参加者デバイスの各参加者デバイスは、前記リーダーデバイスの制御に応答して、前記選択されたプレビュー画像に対応するそれぞれのＶＲコンテンツに含まれる少なくとも１つの画像を表示するように構成される、システム。
【請求項２】
前記少なくとも１つの画像は、３次元（３Ｄ）パノラマおよび３次元フォトスフィアのうちの１つを含む、請求項１に記載のシステム。
【請求項３】
データネットワークルータをさらに備え、前記複数の参加者デバイスは、前記データネットワークルータを介して前記リーダーデバイスと動作可能に結合される、請求項１または請求項２に記載のシステム。
【請求項４】
前記リーダーデバイスは、無線データネットワークインターフェイスをさらに含み、前記複数の参加者デバイスは、前記無線データネットワークインターフェイスを介して前記リーダーデバイスと動作可能に結合される、請求項１〜請求項３のいずれか１項に記載のシステム。
【請求項５】
前記リーダーデバイスに応答して、前記選択されたプレビュー画像に関連付けられる選択されたＶＲコンテンツの音声コンテンツを再生するように構成された少なくとも１つの音声デバイスをさらに備える、請求項１〜請求項４のいずれか１項に記載のシステム。
【請求項６】
前記少なくとも１つの音声デバイスは、前記リーダーデバイスと無線で結合される、請求項５に記載のシステム。
【請求項７】
前記少なくとも１つの音声デバイスは、複数の音声デバイスを含み、前記複数の音声デバイスの各音声デバイスは、前記複数の参加者デバイスのそれぞれの参加者デバイスに含まれる、請求項５または請求項６に記載のシステム。
【請求項８】
前記インターフェイスは、前記選択されたプレビュー画像に関連付けられるそれぞれのＶＲコンテンツの提示中に、複数の注視インジケータを表示するようにさらに構成され、前記複数の注視インジケータの各注視インジケータは、前記複数の参加者デバイスのそれぞれの参加者デバイスに対応し、前記選択されたプレビュー画像に関連付けられるそれぞれのＶＲコンテンツ内においてそれぞれの参加者のユーザが現在見ている場所を示す、請求項１〜請求項７のいずれか１項に記載のシステム。
【請求項９】
前記参加者デバイスの各々は、ＶＲ視覚コンテンツビューアを含む、請求項１〜請求項８のいずれか１項に記載のシステム。
【請求項１０】
前記インターフェイスは、前記選択されたプレビュー画像に関連付けられるそれぞれのＶＲコンテンツの提示中に、前記選択されたプレビュー画像に関連付けられる前記それぞれのＶＲコンテンツに対応する情報を含むパネルを表示するようにさらに構成される、請求項１〜請求項９のいずれか１項に記載のシステム。
【請求項１１】
前記パネルからの情報の提示は、
前記複数の参加者デバイス上にテキスト注釈を表示すること、
前記リーダーデバイスと動作可能に結合される少なくとも１つの音声デバイス上で音声クリップを再生すること、および
前記複数の参加者デバイスに地図を表示すること、のうちの少なくとも１つを含む、請求項１０に記載のシステム。
【請求項１２】
前記インターフェイスは、前記選択されたプレビュー画像に関連付けられるそれぞれのＶＲコンテンツの提示中に、前記選択されたプレビュー画像に関連付けられるそれぞれのＶＲコンテンツにおける注目点を示す選択を受信するようにさらに構成され、
前記複数の参加者デバイスは、前記注目点を示す前記選択に応答して、前記選択された注目点に関連してマーカーを表示するようにさらに構成される、請求項１〜請求項１１のいずれか１項に記載のシステム。
【請求項１３】
前記マーカーは、各参加者デバイスについて、前記注目点が、前記参加者デバイスのそれぞれの視野内にあるか外にあるかを示す、請求項１２に記載のシステム。
【請求項１４】
前記注目点を示す前記選択を受信することは、前記リーダーデバイスのタッチスクリーン上において前記インターフェイス内で入力を受信することを含む、請求項１２または請求項１３に記載のシステム。
【請求項１５】
前記マーカーは、前記マーカーに対応するドエルタイムの表示を含み、前記マーカーは、前記ドエルタイムの終了後に消滅する、請求項１２に記載のシステム。
【請求項１６】
前記リーダーデバイスおよび前記複数の参加者デバイスを収納および充電するように構成されたコンテナをさらに備える、請求項１〜請求項１５のいずれか１項に記載のシステム。
【請求項１７】
前記インターフェイスは、少なくとも１つのボタンを含み、前記リーダーデバイス上における前記少なくとも１つのボタンのうちのボタンの選択は、前記複数の参加者デバイスの各参加者デバイス上で対応する機能を同時に制御する、請求項１〜請求項１６のいずれか１項に記載のシステム。
【請求項１８】
前記インターフェイスは、前記リーダーデバイスと動作可能に結合される参加者デバイスの数の表示を含む、請求項１〜請求項１７のいずれか１項に記載のシステム。
【請求項１９】
リーダーデバイス手段と、
前記リーダーデバイス手段と動作可能に結合される複数の参加者デバイス手段とを備ええ、前記リーダーデバイス手段は、
それぞれの仮想現実（ＶＲ）コンテンツに対応する複数のプレビュー画像を表示するためのインターフェイス手段と、
前記複数のプレビュー画像のうちのプレビュー画像を選択するための選択手段と、
前記リーダーデバイス手段および前記複数の参加者デバイス手段における前記選択されたプレビュー画像に関連付けられるそれぞれのＶＲコンテンツの提示を制御し、前記複数の参加者デバイス手段の各々の参加者デバイス手段の少なくとも１つの機能を制御するためのリーダーアプリケーション手段とを含み、
前記複数の参加者デバイス手段の各参加者デバイス手段は、前記リーダーデバイス手段の制御に応答して、前記選択されたプレビュー画像に対応するそれぞれのＶＲコンテンツに含まれる少なくとも１つの画像を表示する、システム。
【請求項２０】
前記複数の参加者デバイス手段を前記リーダーデバイス手段と動作可能に結合するためのデータネットワーク接続手段と、
前記リーダーデバイス手段に応答して、前記選択されたプレビュー画像に関連付けられる選択されたＶＲコンテンツの音声コンテンツを再生するための音声デバイス手段とをさらに備える、請求項１９に記載のシステム。
【発明の詳細な説明】
【技術分野】
【０００１】
関連出願への相互参照
本出願は、「仮想現実旅行（ＶＩＲＴＵＡＬ  ＲＥＡＬＩＴＹ  ＥＸＰＥＤＩＴＩＯＮＳ）」と題する、２０１６年５月２６日に出願された米国仮特許出願第１５／１６５，８５５号の優先権を主張し、かつその継続出願であり、それは、「仮想現実旅行（ＶＩＲＴＵＡＬ  ＲＥＡＬＩＴＹ  ＥＸＰＥＤＩＴＩＯＮＳ）」と題する、２０１５年５月２７日に出願された米国特許出願第６２／１６７，２０６号の優先権を主張し、これらはいずれもその全体が本明細書に引用により援用される。
【０００２】
技術分野
この記載は、一般に仮想現実（ＶＲ）コンテンツの使用に関する。より具体的には、この記載は、ＶＲコンテンツを（例えば教育環境において）補足的な授業ならびに／または情報注釈および教材とともに提示して没入型ＶＲ旅行を提供することに関する。
【発明の概要】
【課題を解決するための手段】
【０００３】
概要
一般的な態様において、システムはリーダーデバイスを含むことができる。リーダーデバイスは、それぞれの仮想現実（ＶＲ）コンテンツに対応する複数のプレビュー画像を表示するように構成されたインターフェイスを含み得る。リーダーデバイスは、複数のプレビュー画像のうちのプレビュー画像を選択するように構成された選択デバイスと、選択されたプレビュー画像に関連付けられるそれぞれのＶＲコンテンツの提示を制御するように構成されたリーダーアプリケーションとを含むこともできる。システムは、リーダーデバイスと動作可能に結合される複数の参加者デバイスをさらに含み得る。複数の参加者デバイスの各参加者デバイスは、リーダーデバイスに応答して、選択されたプレビュー画像に対応するそれぞれのＶＲコンテンツに含まれる少なくとも１つの画像を表示するように構成され得る。
【０００４】
実現例は、以下の特徴の１つ以上を含み得る。例えば、少なくとも１つの画像は、３次元（３Ｄ）パノラマを含み得る。少なくとも１つの画像は３Ｄフォトスフィアを含み得る。
【０００５】
システムはデータネットワークルータを含み得る。複数の参加者デバイスは、データネットワークルータを介してリーダーデバイスと動作可能に結合され得る。リーダーデバイスは無線データネットワークインターフェイスを含むことができる。複数の参加者デバイスは、無線データネットワークインターフェイスを介してリーダーデバイスと動作可能に結合され得る。
【０００６】
システムは、リーダーデバイスに応答して、選択されたプレビュー画像に関連付けられる選択されたＶＲコンテンツの音声コンテンツを再生するように構成された少なくとも１つの音声デバイスを含み得る。少なくとも１つの音声デバイスは、リーダーデバイスと無線で結合され得る。少なくとも１つの音声デバイスは複数の音声デバイスを含むことができる。複数の音声デバイスの各音声デバイスは、複数の参加者デバイスのそれぞれの参加者デバイスに含まれ得る。
【０００７】
インターフェイスは、選択されたプレビュー画像に関連付けられるそれぞれのＶＲコンテンツの提示中に、複数の注視インジケータを表示するように構成され得る。複数の注視インジケータの各注視インジケータは、複数の参加者デバイスのそれぞれの参加者デバイスに対応し得、選択されたプレビュー画像に関連付けられるそれぞれのＶＲコンテンツ内においてそれぞれの参加者のユーザが現在見ている場所を示す。
【０００８】
参加者デバイスの各々は、ＶＲ視覚コンテンツビューアを含み得る。
インターフェイスは、選択されたプレビュー画像に関連付けられるそれぞれのＶＲコンテンツの提示中に、選択されたプレビュー画像に関連付けられるそれぞれのＶＲコンテンツに対応する情報を含むパネルを表示するように構成され得る。リーダーデバイスはさらにパネルからの情報の提示を容易にするように構成することができる。パネルからの情報の提示は、複数の参加者デバイス上にテキスト注釈を表示すること、リーダーデバイスと動作可能に結合される少なくとも１つの音声デバイス上で音声クリップを再生すること、および／または複数の参加者デバイスに地図を表示することを含み得る。
【０００９】
インターフェイスは、選択されたプレビュー画像に関連付けられるそれぞれのＶＲコンテンツの提示中に、選択されたプレビュー画像に関連付けられるそれぞれのＶＲコンテンツにおける注目点を示す選択を受信するように構成され得る。複数の参加者デバイスは、さらに、注目点を示す選択に応答して、選択された注目点に関連してマーカーを表示するように構成され得る。マーカーは、各参加者デバイスについて、注目点が、参加者デバイスのそれぞれの視野内にあるか外にあるかを示し得る。注目点を示す選択を受信することは、リーダーデバイスのタッチスクリーン上においてインターフェイス内で入力を受信することを含み得る。マーカーは、マーカーと対応するドエルタイムの表示を含み得る。マーカーは、ドエルタイムの終了の後に消滅するよう構成され得る。
【００１０】
システムは、リーダーデバイスおよび複数の参加者デバイスを収納および充電するように構成されたコンテナを含み得る。
【００１１】
インターフェイスは少なくとも１つのボタンを含み得る。リーダーデバイス上における少なくとも１つのボタンのうちのボタンの選択は、複数の参加者デバイスの各参加者デバイス上で対応する機能を同時に制御し得る。
【００１２】
インターフェイスは、リーダーデバイスと動作可能に結合される参加者デバイスの数の表示を含み得る。
【００１３】
別の一般的な態様において、システムはリーダーデバイ手段スを含むことができる。リーダーデバイス手段は、複数のプレビュー画像を表示するためのインターフェイス手段を含むことができる。各プレビュー画像はそれぞれの仮想現実（ＶＲ）コンテンツと対応し得る。リーダーデバイス手段はさらに、複数のプレビュー画像のうちのプレビュー画像を選択するための選択手段を含むことができる。リーダーデバイス手段はさらに、選択されたプレビュー画像に関連付けられるそれぞれのＶＲコンテンツの提示を制御するためのリーダーアプリケーション手段を含むことができる。システムは、リーダーデバイス手段と動作可能に結合される複数の参加者デバイス手段をさらに含み得る。複数の参加者デバイス手段の各参加者デバイス手段は、リーダーデバイス手段に応答して、選択されたプレビュー画像に対応するそれぞれのＶＲコンテンツに含まれる少なくとも１つの画像を表示するためのものである。
【００１４】
実現例は、以下の特徴の１つ以上を含み得る。例えば、システムは、複数の参加者デバイス手段をリーダーデバイス手段と動作可能に結合するためのデータネットワーク接続手段を含み得る。システムは、リーダーデバイス手段に応答して、選択されたプレビュー画像に関連付けられる選択されたＶＲコンテンツの音声コンテンツを再生するための音声デバイス手段を含み得る。
【図面の簡単な説明】
【００１５】
【図１】実現例にしたがって情報提供的および／または教育仮想現実（ＶＲ）コンテンツを提示するためのシステムを示す図である。
【図２】実現例による、図１のシステムのコンポーネントのための収納ボックスおよび／または充電ステーションを示す図である。
【図３】実現例による、図１のシステムのコンポーネントのための、図２の収納ボックスに実装することができる充電トレイを示す図である。
【図４】実現例による、図１のシステムで使用することができるガイド（教師）デバイスを示すブロック図である。
【図５】実現例による、図１のシステムで使用することができる探検者（生徒）デバイスを示すブロック図である。
【図６Ａ】実現例による、ＶＲ旅行（フィールドトリップ）を選択および／または提示するためのユーザインターフェイスを示す図である。
【図６Ｂ】実現例による、ＶＲ旅行（フィールドトリップ）を選択および／または提示するためのユーザインターフェイスを示す図である。
【図６Ｃ】実現例による、ＶＲ旅行（フィールドトリップ）を選択および／または提示するためのユーザインターフェイスを示す図である。
【図６Ｄ】実現例による、ＶＲ旅行（フィールドトリップ）を選択および／または提示するためのユーザインターフェイスを示す図である。
【図６Ｅ】実現例による、ＶＲ旅行（フィールドトリップ）を選択および／または提示するためのユーザインターフェイスを示す図である。
【図６Ｆ】実現例による、ＶＲ旅行（フィールドトリップ）を選択および／または提示するためのユーザインターフェイスを示す図である。
【図７Ａ】実現例による、選択されたＶＲ旅行に含まれるパノラマ（フォトスフィア）の組からパノラマ（フォトスフィア）を選択および／または提示するためのユーザインターフェイスを示す図である。
【図７Ｂ】実現例による、選択されたＶＲ旅行に含まれるパノラマ（フォトスフィア）の組からパノラマ（フォトスフィア）を選択および／または提示するためのユーザインターフェイスを示す図である。
【図７Ｃ】実現例による、選択されたＶＲ旅行に含まれるパノラマ（フォトスフィア）の組からパノラマ（フォトスフィア）を選択および／または提示するためのユーザインターフェイスを示す図である。
【図８Ａ】実現例による、選択されたＶＲ旅行に含まれるパノラマ（フォトスフィア）の組からパノラマ（フォトスフィア）を選択および／または提示するための他のユーザインターフェイスを示す図である。
【図８Ｂ】実現例による、選択されたＶＲ旅行に含まれるパノラマ（フォトスフィア）の組からパノラマ（フォトスフィア）を選択および／または提示するための他のユーザインターフェイスを示す図である。
【図９Ａ】実現例による、ＶＲ旅行に含まれるパノラマ（フォトスフィア）の組から選択されるパノラマ（フォトスフィア）を見るおよび／または提示するためのユーザインターフェイスを示す図である。
【図９Ｂ】実現例による、ＶＲ旅行に含まれるパノラマ（フォトスフィア）の組から選択されるパノラマ（フォトスフィア）を見るおよび／または提示するためのユーザインターフェイスを示す図である。
【図９Ｃ】実現例による、ＶＲ旅行に含まれるパノラマ（フォトスフィア）の組から選択されるパノラマ（フォトスフィア）を見るおよび／または提示するためのユーザインターフェイスを示す図である。
【図９Ｄ】実現例による、ＶＲ旅行に含まれるパノラマ（フォトスフィア）の組から選択されるパノラマ（フォトスフィア）を見るおよび／または提示するためのユーザインターフェイスを示す図である。
【図１０Ａ】実現例による、パノラマ（フォトスフィア）を指導的注釈および情報とともに見るおよび／または提示するための別のユーザインターフェイス（例えば、図９Ａ〜図９Ｃのユーザインターフェイスとの関連で実施することができる）を示す図である。
【図１０Ｂ】実現例による、パノラマ（フォトスフィア）を指導的注釈および情報とともに見るおよび／または提示するための別のユーザインターフェイス（例えば、図９Ａ〜図９Ｃのユーザインターフェイスとの関連で実施することができる）を示す図である。
【図１０Ｃ】実現例による、パノラマ（フォトスフィア）を指導的注釈および情報とともに見るおよび／または提示するための別のユーザインターフェイス（例えば、図９Ａ〜図９Ｃのユーザインターフェイスとの関連で実施することができる）を示す図である。
【図１１Ａ】実現例による、サイトマーカーおよび／または注視インジケータを含む（例えば、参加者デバイス上に示されるような）図９Ａ〜図９Ｃのユーザインターフェイスを示す図である。
【図１１Ｂ】実現例による、サイトマーカーおよび／または注視インジケータを含む（例えば、参加者デバイス上に示されるような）図９Ａ〜図９Ｃのユーザインターフェイスを示す図である。
【図１１Ｃ】実現例による、サイトマーカーおよび／または注視インジケータを含む（例えば、参加者デバイス上に示されるような）図９Ａ〜図９Ｃのユーザインターフェイスを示す図である。
【図１１Ｄ】実現例による、サイトマーカーおよび／または注視インジケータを含む（例えば、参加者デバイス上に示されるような）図９Ａ〜図９Ｃのユーザインターフェイスを示す図である。
【図１１Ｅ】実現例による、サイトマーカーおよび／または注視インジケータを含む（例えば、参加者デバイス上に示されるような）図９Ａ〜図９Ｃのユーザインターフェイスを示す図である。
【図１１Ｆ】実現例による、サイトマーカーおよび／または注視インジケータを含む（例えば、参加者デバイス上に示されるような）図９Ａ〜図９Ｃのユーザインターフェイスを示す図である。
【図１１Ｇ】実現例による、サイトマーカーおよび／または注視インジケータを含む（例えば、参加者デバイス上に示されるような）図９Ａ〜図９Ｃのユーザインターフェイスを示す図である。
【図１１Ｈ】実現例による、サイトマーカーおよび／または注視インジケータを含む（例えば、参加者デバイス上に示されるような）図９Ａ〜図９Ｃのユーザインターフェイスを示す図である。
【図１２】実現例による別のサイトマーカーを示す立体画像である。
【図１３Ａ】実現例による、図１のシステムとの関連で実施することができるステータス画面表示を示す図である。
【図１３Ｂ】実現例による、図１のシステムとの関連で実施することができるステータス画面表示を示す図である。
【図１３Ｃ】実現例による、図１のシステムとの関連で実施することができるステータス画面表示を示す図である。
【図１３Ｄ】実現例による、図１のシステムとの関連で実施することができるステータス画面表示を示す図である。
【図１３Ｅ】実現例による、図１のシステムとの関連で実施することができるステータス画面表示を示す図である。
【図１３Ｆ】実現例による、図１のシステムとの関連で実施することができるステータス画面表示を示す図である。
【図１４Ａ】実現例による、ＶＲ旅行（フィールドトリップ）を選択し、選択されたＶＲ旅行内でパノラマ（フォトスフィア）を選択および／または提示するための別のユーザインターフェイスを示す図である。
【図１４Ｂ】実現例による、ＶＲ旅行（フィールドトリップ）を選択し、選択されたＶＲ旅行内でパノラマ（フォトスフィア）を選択および／または提示するための別のユーザインターフェイスを示す図である。
【図１４Ｃ】実現例による、ＶＲ旅行（フィールドトリップ）を選択し、選択されたＶＲ旅行内でパノラマ（フォトスフィア）を選択および／または提示するための別のユーザインターフェイスを示す図である。
【図１４Ｄ】実現例による、ＶＲ旅行（フィールドトリップ）を選択し、選択されたＶＲ旅行内でパノラマ（フォトスフィア）を選択および／または提示するための別のユーザインターフェイスを示す図である。
【図１４Ｅ】実現例による、ＶＲ旅行（フィールドトリップ）を選択し、選択されたＶＲ旅行内でパノラマ（フォトスフィア）を選択および／または提示するための別のユーザインターフェイスを示す図である。
【図１５Ａ】実現例による、ＶＲ旅行における手書き表記の使用を示す図である。
【図１５Ｂ】実現例による、ＶＲ旅行における手書き表記の使用を示す図である。
【図１６Ａ】実現例による、ＶＲ旅行における注目点を記すためのタッチスクリーン入力の使用を示す図である。
【図１６Ｂ】実現例による、ＶＲ旅行における注目点を記すためのタッチスクリーン入力の使用を示す図である。
【図１７】実現例による、ＶＲ旅行における注目点を記すユーザインターフェイスを示す図である。
【図１８】ここで記載される技術を実施するために使用することができるコンピュータデバイスおよびモバイルコンピュータデバイスの例を示す。
【発明を実施するための形態】
【００１６】
さまざまな図面における同様の参照符号は同様の要素を示す。
詳細な記載
以下の記載は、一般に、教育的および／または指導的環境における仮想現実（ＶＲ）コンテンツ（例えば、３次元（３Ｄ）画像、音声、情報注釈など）の使用に関する。しかし、本明細書に記載されるアプローチは、専門家のプレゼンテーション、見本市のプレゼンテーション、会議のプレゼンテーションなどの他の設定でも使用できることが理解されよう。また、以下の記載では、ＶＲコンテンツを用いた教育的および／または情報提供的な教材の提示について概説しているが、これらのアプローチは、ラップトップコンピュータ、タブレット、または他の電子デバイス上で「マジックウィンドウ」モードを使用するなど、２次元（２Ｄ）視覚コンテンツを使用してそのような教材を提示するためにも使用することができる。この開示の目的のために、画像、ユーザインターフェイスなどは、２Ｄ画像または立体画像のいずれかとして示されてもよく、例示として示されている。他の実現例では、３Ｄビデオのような他の画像、グラフィックス、構成および／またはアプローチを使用することができる。例えば、アクセシビリティ機能が追加／実装されてもよい。例えば、テキストサイズ、音声プロンプト、または他の特徴の増加が、本明細書に記載された特徴に加えて、それと関連して、および／またはそれの代わりに実施されてもよい。
【００１７】
学校の教室などの指導的環境では、教育的および情報提供的な教材は、生徒および／または視聴者の参加者の関心を十分に惹きつけることができないことがある。ＶＲハードウェアおよび／またはＶＲコンテンツの、単独の、または従来の教育的教材および情報提供教材と併せた使用は、より容易に生徒および／または視聴者の参加者を惹きつける没入型教育体験を提供することができる。例えばＶＲハードウェアおよび／またはＶＲコンテンツは、教師および生徒が、これまでのフィールドトリップでは実際にアクセスできない世界（または世界の外）の場所に（ＶＲ旅行または旅行とも呼ばれ得る）ＶＲフィールドトリップに行くために使うことができる。例えば、教師や生徒は、ここに記載されるアプローチを使用して、教室の環境で、世界中の珊瑚礁、宇宙空間、世界の七不思議、世界中の博物館など、媒体に富んだ没入型ＶＲ旅行を楽しむことができる。
【００１８】
ここに記載されるシステムと技術を使用して、生徒（または視聴者）をより効果的に惹きつけたい教師（または他のプレゼンター）は、ＶＲハードウェアおよびＶＲコンテンツを使用して、ＶＲ旅行を組み込むことで授業およびプレゼンテーションをより魅力的にすることによって、授業を従来の教材と組み合わせて固めてサポートする。このようなＶＲ旅行は、それらの媒体が豊富なコンテンツのために、従来の教材（書籍、ビデオ、スライドショーなど）よりもはるかに生徒の没入感が強くなり得る。
【００１９】
以下の説明では、ＶＲ旅行を行う（提示する、体験するなどの）ためのシステムおよび技術について説明する。そのようなシステムは、少なくともコンテンツコンポーネント、ソフトウェアコンポーネント、およびハードウェアコンポーネントを含むことができる。使用される特定のコンポーネントは、特定の実現例に依存し得る。
【００２０】
このようなＶＲ旅行（ＶＲフィールドトリップ）のためのコンテンツは、高解像度写真パノラマまたはフォトスフィアのコレクションを、３Ｄビデオ、音声（周囲の音、ナレーション、音楽など）、情報表記、など、その他のデジタルコンテンツとともに含み得る。例えば、ＶＲ旅行の一部として実施される画像は、ＶＲ旅行の一部として没入型３Ｄ体験を提供する、高品質で高解像度の立体画像（例えば、３Ｄパノラマおよび／またはフォトスフィア）であり得る。所与のＶＲ旅行のコンテンツは、教育コンテンツ供給者などのコンテンツプロバイダ、教師、生徒などによって作成することができる。
【００２１】
本明細書で論じるように、ＶＲ旅行システムは、仮想トリップ作成ツールを含むことができ、教師、生徒、または他の方法でＶＲ旅行を著作することができる。他の例では、ＶＲ旅行のコンテンツをサブスクリプション単位で提供することができ、ＶＲ旅行のコンテンツは、教科書、レッスンプラン、制度要件などの他のカリキュラム教材と整合させることができる。ＶＲ旅行のコンテンツ（例えば、視覚的コンテンツ）は、そのようなコンテンツの所有者および／または保管人と提携することによって、既存の画像および／またはビデオコレクション（例えば、インターネットベースのコレクション、プライベートコレクションなど）のような任意の数の利用可能なソースから取得することができる。
【００２２】
例示的なＶＲ旅行システムに含めることができる例示的なハードウェアおよび機器を、以下にさらに論じる図１〜図３に示す。しかしながら、手短には、そのようなＶＲ旅行システム（キット）のハードウェアコンポーネントは、ＶＲ旅行を引率するためにＶＲ旅行ガイド（例えば、教師）によって使用されるように構成されたタブレットコンピュータ（または他のコンピューティングデバイス）、探検者（例えば、生徒）のためのビューア、ルータ（例えば、インターネット接続を必要とせずにローカルネットワーク上でＶＲ旅行を実行できるようにする）、ＶＲ旅行のために対応する音声（周囲の音、サウンドトラック、ナレーションなど）を提供するためのスピーカ、およびシステムの他のハードウェアを輸送し、充電し、収納するための耐久性のあるボックスを含み得る。このようなハードウェアは、キットとして提供（販売）することができる。他の例では、教師や学校などが適切なハードウェアを入手し、ＶＲ旅行のためのコンテンツおよびソフトウェアコンポーネントをダウンロードしてそのハードウェアにインストールすることができる。
【００２３】
一実装例では、ソフトウェアコンポーネント（アプリケーションまたはアプリ）は、「ガイド」アプリケーション（リーダーアプリケーションなど）および「探検者」アプリケーション（参加者アプリケーションなど）の２つのアプリケーションとして実装できる。このようなアプローチでは、ガイドアプリケーションは、ガイド（教師、インストラクター、プレゼンターなど）が、探検者が見るＶＲコンテンツを選択し、その途中の特定の注目点を指摘して議論することによって、ＶＲフィールドトリップ（ＶＲ旅行）を通じて一団の探検者（生徒、視聴者メンバーなど）を引率することを可能にする。探検者アプリケーションは、ユーザがＶＲ旅行に参加し、ガイドによって旅行を通して引率されることを可能にする。いくつかの実現例では、探検者アプリケーションは、シングルユーザモードで動作するように、例えば、探検者が引率なしのＶＲ旅行に行く（体験する）ことを可能にするように構成することができる。
【００２４】
図１は、実現例にしたがって情報提供的および／または教育的仮想現実（ＶＲ）コンテンツを提示するためのシステム１００を示す図である。図１に示すように、システム１００は、ガイドがＶＲ旅行（ＶＲフィールドトリップ）を作成、選択および／または引率することを可能にするように構成されたガイド（例えば、教師、リーダーなど）デバイス１１０を含む。図１のガイドデバイス１１０は、タブレットコンピュータとして図示されているが、他の実現例では、ガイドデバイスは、ラップトップコンピュータ、デスクトップコンピュータ、ネットブックなどの他の形態をとってもよい。
【００２５】
システム１００はまた、ガイドデバイス１１０と探検者（例えば、生徒、参加者など）デバイス１２０との間のデータ接続を提供するために使用されるルータ１３０を含むことができる。図１のデータ接続は無線接続として示されているが、有線接続の使用も可能である。他の実現例では、ガイドデバイス１１０は、無線ネットワークホットスポットとして動作することができる。このようなアプローチでは、ルータ１３０を省略し、探検者デバイス１２０は（例えば、無線データ接続を介して）ガイドと直接接続することができる。さらに他の実現例では、システム１００は、いくつかの例として、インターネット接続を提供するためのモデム（ケーブルモデム、光ファイバモデムなど）および／もしくはＶＲ旅行コンテンツを格納するためのサーバコンピュータなどの他のデータならびに／またはネットワークデバイスを含むことができる。そのようなアプローチでは、システム１００は、遠隔の授業環境（例えば、オンラインクラスまたはコースのようなインターネット上）で使用することができる。
【００２６】
一実現例では、探検者デバイス１２０は、各々、単一の統合デバイスとして実現することができる。例えば、探検者デバイス１２０は、ＶＲビューア（ＶＲゴーグル）に統合（例えば、永続的にインストール）される電子デバイス（例えば、スマートフォン、タブレットなど）を含むことができる。そのような実現例では、教師および／または生徒は、ＶＲビューアに対して電子デバイスを挿入／除去する必要がなく、ＶＲ旅行開始時のセットアップ時間を短縮することができる。そのような統合された探検者デバイス１２０（および探検者デバイス１２０の他の実現例）は、収納および／または充電ボックス／トレイ（図２および図３に例示された実現例など）に効率的にパックされるように構成することができる。このようなアプローチでは、探検者デバイス１２０および／またはガイドデバイス１１０がそのような充電トレイまたは充電／収納ボックスに置かれると、探検者デバイス１２０および／またはガイドデバイス１１０は、電源に接続され充電され得る。充電システムは、有線および／または無線であり得る。
【００２７】
探検者デバイス１２０のＶＲビューアは、（例えば、異なる教室の生徒による）教室環境での探検者デバイス１２０の共用に望ましいであろうように、プラスチック、ゴム、または清潔で衛生的であるように保つのが容易な他の材料を用いて形成されたハウジングを含むことができる。探検者デバイス１２０の電子デバイス内のバッテリは、バッテリ電力の損失により生徒のＶＲ旅行が短くなることがないように、少なくとも２時間のＶＲ旅行の間続くべきである。いくつかの実施態様では、探検者デバイス１２０の電子デバイスは、ＶＲ旅行を行う（体験する）ために探検者デバイス１２０の一部として専ら動作するように構成することができる。
【００２８】
他の実現例では、探検者デバイス１２０の電子デバイスは、探検者デバイス１２０のＶＲビューアから分離可能（例えば、挿入可能かつ取り外し可能）であり得る。そのような実現例では、ＶＲビューアは、ＶＲ光学機器を含み得、耐久性があり、清掃が容易であるよう、フラップ、ドアなどを使用するなど、ＶＲビューアにおける対応する電子デバイスの挿入および取り外しも可能にする、プラスチックで形成されたハウジングを有する。このようなアプローチでは、探検者デバイス１２０の電子デバイスは、ＶＲ旅行を開始するときにＶＲビューアに挿入され、ＶＲ旅行を完了した後に（例えば、電子デバイスを再充電するために）探検者デバイス１２０のＶＲビューアから除去され得る。そのようなアプローチでは、探検者デバイス１２０の電子デバイスは、教師によって生徒に供給され、および／または生徒が所有する電子デバイスとすることができる。さらに、探検者デバイス１２０のＶＲビューアは、生徒に対して個々の使用のために（例えば、学年を通して）与えられ得るか、または複数の生徒によって（例えば異なる教室において）共有され得る。
【００２９】
他の実現例では、ＶＲ旅行を体験するために、ボール紙ＶＲビューアなど、他のタイプのＶＲビューアを使用することができ、対応するＶＲ旅行システムの全体的なコストを低減することができる。もちろん、他のタイプのＶＲビューアを使用して探検者デバイス１２０を実現することもできる。さらに他の実現例では、（例えば、ＶＲビューアを使用せずに）２Ｄ「マジックウィンドウ」モードで電子デバイス（タブレット、スマートフォン、ノートブックなど）を使用して探検者デバイス１２０を実現することができる。ガイドデバイス１１０および探検者デバイス１２０には、１つ以上のＶＲ旅行が事前にロードされて、「ボックス外で」使用できる状態になり得る。
【００３０】
図１に示すように、システム１００は、（例えば、ＢＬＵＥＴＯＯＴＨ（登録商標）接続を使用して）ガイドデバイス１１０と無線で接続されるスピーカ１４０を含むこともできる。スピーカ１４０は、ＶＲ旅行に適した周囲音、サウンドトラック、情報提供的注釈または他の情報のナレーションなど、ＶＲ旅行に関連付けられた音声を再生するように構成されてもよい。他の実現例では、スピーカ１４０は、有線接続を使用してガイドデバイス１１０に接続されてもよい。さらに他の実現例では、各探検者デバイス１２０は、図１に示すスピーカ１４０の代わりに、関連付けられる無線または有線のスピーカ１４０（またはヘッドセット）を含むことができる。いくつかの実現例では、探検者デバイス１２０の電子デバイスの内部スピーカを使用するなど、ＶＲ旅行に関連する音を提供するための他のアプローチが可能である。
【００３１】
図２は、実現例に従って、図１のシステムのコンポーネント（ガイドデバイス１１０、探検者デバイス１２０、ルータ１３０、およびスピーカ１４０）のための収納ボックス２００を示す図である。図２に示すように、収納ボックス２００は木製の汽船トランクの外観を有することができる。いくつかの例では、ボックス２００は、システム１００のコンポーネントに予めロードされたＶＲ旅行のためのような、生徒がＶＲ旅行（仮想フィールドトリップ）に行く（を経験する）仮想目的地を表すステッカーで装飾することができる。実現例では、対応するＶＲ旅行に行った（を体験した）後に（例えば、生徒によって）ボックス２００に追加することができる追加のステッカーを提供することができる。
【００３２】
いくつかの実現例では、ボックス２００は、ガイドデバイス１１０、探検者デバイス１２０および／またはスピーカ１４０の充電ステーションとして構成することもできる。例えば、ボックス２００は、（例えば、有線充電クレードル内で、または充電パッドなど無線（例えば、誘導性）充電システムを使用して、）ガイドデバイス１１０、探検者デバイス１２０および／またはスピーカ１４０を充電するように構成された１つ以上の充電トレイを含むことができる。
【００３３】
図３は、実現例による、図１のシステムのコンポーネント（例えば、ガイドデバイス１１０、探検者デバイス１２０および／またはスピーカ１４０）用の充電トレイ３００を示す図であり、充電トレイ３００は、図２の収納ボックス２００において実現される。充電トレイ３００は一例として示されており、他の配置および／または構成も可能である。充電トレイ３００の特定の構成は、少なくとも部分的に、ガイドデバイス１１０、探検者デバイス１２０および／またはスピーカ１４０を実現するために使用される電子デバイスに依存する。
【００３４】
充電トレイ３００は、トレイ３００上で充電している各デバイス（ガイドデバイス１１０および探検者デバイス１２０）に対して対応する充電レベルインジケータ（図示せず）を含むことができる。ある実現例では、各充電レベルインジケータは、例えば、１つ以上の発光ダイオード（ＬＥＤ）を含むことができる。例えば、対応するデバイスが充電中であることを示すために赤色ＬＥＤを使用することができ、対応するデバイスが完全に充電されたことを示すために緑色ＬＥＤを使用することができる。もちろん、充電レベルインジケータを実現するための他のアプローチも可能である。
【００３５】
図４は、実現例にしたがって、図１のシステムのガイドデバイス１１０を実現するために使用することができるガイド（教師、リーダーなど）デバイスを示すブロック図である。上述したように、ガイドデバイス１１０は、図１に示すように、タブレットコンピュータを含むことができる。他の実現例では、ガイドデバイス１１０は、ラップトップコンピュータ、ネットブックなどの他の形態をとることができる。システム１００では、単一のガイドデバイス１１０が示されているが、他の実現例では、例えば共同授業環境において、複数のガイドデバイス１１０を使用することができる。説明のため、ガイドデバイス１１０は、図１に示すシステム１００におけるその使用に関して説明される。他の実現例では、ガイドデバイス１１０は、他のＶＲシステムでＶＲ旅行などのＶＲコンテンツを提示および／または体験するために使用することができる。
【００３６】
図４に示すように、ガイドデバイス１１０は、ＶＲ旅行（プレゼンテーションなど）を選択および引率するために使用されるガイドアプリケーション１１２を含むことができる。ガイドデバイス１１０はまた、１つ以上の関連するＶＲ旅行のＶＲコンテンツ（３Ｄ画像、音声、情報提供的表記など）を含む仮想トリップコンテンツ１１４を含むことができる。ＶＲ旅行に含めることができるそのようなコンテンツの例は、本明細書で説明される。ガイドデバイス１１０は、以下でさらに詳細に説明するように、教師、生徒などが、新たなＶＲ旅行を著作したり、または既存のＶＲ旅行をカスタマイズすることを可能にするように構成された仮想トリップ作成部１１６を含むこともできる。
【００３７】
図４に示すガイドデバイス１１０において、ガイドアプリケーション１１２は、（システム１００において）関連する探検者デバイスを使用する生徒が選択されたＶＲ旅行に参加するよう、ＶＲ旅行を引率する教師（または他の人物）が、特定のＶＲフィールドトリップ（ＶＲ旅行）を選択し起動することを可能にするように構成することができる。ガイドアプリケーション１１２はまた、ＶＲ旅行を引率する教師が、（選択されたＶＲ旅行に含まれる複数のパノラマ／フォトスフィアから）特定のＶＲパノラマまたはＶＲフォトスフィアを選択できるよう、またはＶＲ旅行に参加している生徒をＶＲ旅行の１つのパノラマ／フォトスフィアから別のパノラマ／フォトスフィアに移動させるよう構成することもできる。次いで、選択されたＶＲパノラマまたはフォトスフィアは、（例えば、探検者アプリケーションを使用して）探検者デバイス１２０を用いて、参加している生徒に表示される（見られる）ことができる。ガイドアプリケーション１１２はまた、ＶＲ旅行リーダー（教師）が、現在のＶＲ旅行に接続され、選択されたＶＲ旅行に行く（を体験する）準備が整った生徒の数（例えば、いくつの探検者デバイス１２０がシステム１００に接続されているか）を見ることを可能にすることができる。
【００３８】
さらに、特定の実施の形態では、ガイドアプリケーション１１２は、教師（リーダー）が、選択されたパノラマまたはフォトスフィア内の特定の場所または物に関連付けられる精選された会話ポイントを見ること、ならびに／または（例えば、いくつかの例として、テキスト、音声、および／もしくはグラフィックを使用して）接続された探検者デバイス１２０および／もしくはスピーカ１４０を介して生徒にそれらの精選された会話ポイントを提示することを可能にするよう構成され得る。ガイドアプリケーション１１２は、教師（リーダー）が、本明細書に記載の技術を使用するなどして、選択されたＶＲパノラマまたはフォトスフィアの特定の場所または項目に生徒（参加者）の注意を向けるように構成することもできる。ガイドアプリケーション１１２はまた、各生徒が現在、選択されたパノラマまたはフォトスフィアにおいてどこを見ている（注視している）かを教師を示すように構成することもできる。さらに、ガイドアプリケーション１１０は、教師が、音声のオン／オフ、ＶＲ旅行の開始／一時停止／再開、および／またはＶＲ旅行の終了を可能にすることができる。他の実現例では、ガイドアプリケーション１１０は、教師（リーダー）が、ＶＲ旅行を引率するときに本明細書に記載されるような他のアクションを実行することを可能にするように構成することができる。
【００３９】
いくつかの実装形態では、ガイドアプリケーション１１２は、生徒のフィードバック機構を提供するように構成することもできる。このようなフィードバック機構は、生徒が理解を確認したり質問したりするために使用することができる。例えば、生徒は、「はい」として親指を上に、または「いいえ」として親指を下にすることができ、所与の生徒のジェスチャが生徒の探検者デバイス１２０のカメラによって取り込まれ、「はい」または「いいえ」として解釈され、ガイドデバイス１１０上で教師に通信される。実現例では、生徒は、（例えば、探検者デバイス１２０に含まれるマイクロフォンによって捕捉され得る）「ホットワード」を使用することができ、または現在見られているＶＲパノラマもしくはフォトスフィアの角に押し込まれたメニューをクリックすることによって、彼らは質問をしたい旨を示す。次いで、生徒は、質問を発するように促され、質問は転写され、および／または音声として保存され、ルータ１３０を介して教師（リーダー）に送信され、ガイドデバイス１１０に表示または再生される（または、スピーカ１４０を介して再生される）。
【００４０】
図４に示すガイドデバイス１１０では、仮想トリップ作成部１１６は、新たなＶＲ旅行の作成および／または既存のＶＲ旅行のカスタマイズを可能にするように構成することができる。例えば、仮想トリップ作成部１１６は、フォトスフィアを新たなＶＲ旅行に組み合わせること、およびその新たなＶＲ旅行の３Ｄ空間内に注釈を追加することをサポートするように構成することができる。仮想トリップ作成部１１６は、コンテンツプロバイダーから得られたＶＲ旅行など、新たに作成されたＶＲ旅行であれ、または既存のＶＲ旅行であれ、既存のＶＲ旅行にユーザが作成した注釈を追加できるように構成することもできる。ユーザが作成した注釈の追加には、示された注目点のＶＲパノラマまたはフォトスフィア内における位置決めの変更、３Ｄモデルの３Ｄ空間への追加、ＶＲ旅行中に生徒が回答する複数の選択肢の質問の追加、および／またはＶＲ旅行の３Ｄ空間に文書（または文書へのハイパーリンク）を埋め込むことを可能にすることが含まれ得る。
【００４１】
図５は、実現例による図１のシステムにおいて探検者（参加者など）デバイス１２０を実現するために使用することができる探検者（生徒）デバイスを示すブロック図である。上述のように、探検者デバイス１２０は、統合されたデバイスであってもよく、または別個のコンポーネントを使用して実現されてもよい。説明のため、ガイドデバイス１１０と同様に、探検者デバイス１２０を、図１に示すシステム１００におけるその使用に関して説明する。他の実現例では、探検者デバイス１２０は、ＶＲ旅行などのＶＲコンテンツを提示および／または体験するために他のＶＲシステムで使用することができる。
【００４２】
図５に示すように、探検者デバイス１２０は、ＶＲビューア１２２（例えば、ＶＲゴーグル）および電子デバイス１２４を含むことができる。電子デバイス１２４は、スマートフォン、タブレットまたは他の適切な電子デバイスであり得る。図５に示されるように、探検者デバイス１２０の電子デバイス１２４は探検者アプリケーション１２６および仮想トリップコンテンツ１２８を含むことができる。いくつかの実現例では、仮想トリップコンテンツ１２８は、電子デバイス１２４上に永続的に格納することができ、他の実現例では、例えば、ガイドデバイス１１０上のガイドアプリケーション１１２を使用して、ＶＲ旅行が教師（リーダー）によって選択されると、仮想トリップコンテンツを電子デバイス１２４にロードすることができる。他の実現例では、（関連付けられた仮想トリップコンテンツを含む）シングルプレイヤーＶＲ旅行を探検者デバイス１２０にダウンロードするなどして、仮想トリップコンテンツ１２８を電子デバイス１２４にロードするための他のアプローチを使用することができる。
【００４３】
図５の探検者デバイス１２０において、探検者アプリケーション１２６は、ＶＲ旅行に参加している生徒がＶＲパノラマまたはフォトスフィアを自由に見る（探索）できるように構成することができ、（例えば、加速度計を使用して）電子デバイス１２４によって検出された生徒の頭部の動きを利用して、ＶＲパノラマまたはフォトスフィア内で生徒の視野を移動させる。また、探検者アプリケーション１２６は、教師が、現在見られているＶＲパノラマまたはフォトスフィアの特定のポイントまたは対象に注意を喚起したいことを生徒に（例えば、サイトマーカーまたはサイトマーカーの組を使用して）示すように構成することもできる。生徒は（頭の動きを使って）示された注目点を見るために探索する（自分の注視点を動かす）ことができる。そのようなサイトマーカーの例は、本明細書においてさらに詳細に記載される。
【００４４】
探検者アプリケーション１２６は、さらに、生徒がＶＲ旅行の中で「自撮り」するように構成することができる。例えば、生徒は、探検者デバイス１２０に含まれる入力デバイスを使用して、好きなＶＲ旅行の場所のスクリーンショットを撮ることができる。ＶＲ旅行が完了した後、生徒は、探検者デバイス１２０のカメラで自分自身の写真を撮るように促されることができる。次に、探検者アプリケーション１２６は、ＶＲ旅行中に生徒が撮影したスクリーンショットと、その生徒の写真とを重ね合わせることができる。このような写真は、すべての生徒（参加者）と教師（リーダー）がアクセスできる共有ドライブに彼らのＶＲの旅行を思い出として見るよう保存することができる。
【００４５】
図６Ａ〜図１７は、ＶＲ旅行における引率および参加の一部としてシステム１００内で使用可能なさまざまなユーザインターフェイス、ステータス画面、および画像を示す図である。これらのさまざまなユーザインターフェイス、ステータス画面、および画像は、例として、および説明のために与えられる。他の実現例では、異なる外見および／もしくは構成を有する他のユーザインターフェイス、ステータス画面ならびに／または画像を、ＶＲ旅行における引率および参加のために用いることができる。さらに、図６Ａ〜図１７に示されるユーザインターフェイス、ステータス画面および画像のさまざまな特徴は、所与の実現例において適切な場合に、互いとの関連において使用することができる。１つのアプローチの特徴を別のアプローチに関して具体的に説明することはないかもしれないが、そのような包含または省略は、いずれのアプローチにおいてもその特徴の使用を排除または必要としない。さらに、説明のため、図６Ａ〜図１７に示されるアプローチは、図１のシステム１００におけるそれらの実現に関して記載される。しかしながら、そのようなアプローチは、他のシステムで実現することができる。
【００４６】
図６Ａ、図６Ｂ、図６Ｃ、図６Ｄ、図６Ｅ、および図６Ｆは、実現例による、ＶＲ旅行（フィールドトリップ）を選択および／または提示するためのユーザインターフェイス６００を示す図である。ユーザインターフェイス６００では、利用可能なＶＲ旅行はプレビュー画像を用いて示される。例えば、図６Ａでは、珊瑚礁ＶＲ旅行プレビュー画像６４０が示される。教師は、例えば、ガイドデバイス１１０上のタッチスクリーン入力、またはマウスもしくはトラックパッドを使用してプレビュー画像６４０をポイントしてクリックするなどの他の選択機構を使用して、このＶＲ旅行を選択することができる。図６にも示されるように、ユーザインターフェイス６００は、ナビゲーションおよび制御メニュー（またはドロワ）アイコン６１０、フィルタメニューアイコン６２０および検索アイコン６３０を含む。これらのアイコンの各々に関連する操作の例を、図６Ｂ〜図６Ｅを参照して以下に説明する。
【００４７】
図６Ｂに示すように、ガイドデバイス１１０上でナビゲーションおよび制御メニューアイコン６１０を選択した結果、ガイドデバイス１１０上にナビゲーション制御メニュー（ドロワ）６１２が開き得る。メニュー６１２から、教師は、システム１００に接続された生徒の数（例えば、ＶＲ旅行に参加する準備ができている生徒の数）を見たり、利用可能なＶＲ旅行のリストを見たり、利用可能なＶＲ旅行のそれぞれの地理的位置を示す地図を見たり、ダウンロードしたＶＲ旅行だけを表示するようにフィルタを設定したり、ＶＲ旅行に参加している探検者デバイス１２０をオン／オフにしたり、他の設定にアクセスしたり、ＶＲ旅行システムに関するフィードバックを送信したり、および／またはヘルプを得たりすることができる。
【００４８】
図６Ｂに示すように、メニュー６１２の「すべてのビューアをオフにする」オプションが選択されている。ステータス通知ボックス６１４によって示されるように、この選択の結果、全ての探検者デバイス１２０はオフにされる（例えば、ＶＲ旅行から切断される）。すべての探検者デバイス１２０がオフにされると、このメニューオプションは、接続されたすべての探検者デバイス１２０をオンにするよう対応するオプションに変更することができる。図６Ｃに示すように、メニュー６１２の「すべてのビューアをオンにする」オプションが選択されており、この結果、すべての探検者デバイス１２０はオンになる（例えば、ＶＲ旅行に接続される）。
【００４９】
図６Ｄに示すように、ガイドデバイス１１０上で（例えば、図６Ａに示すように）フィルタメニューアイコン６２０を選択した結果、フィルタメニュー６２２がガイドデバイス１１０上で開くことができる。メニュー６２２から、教師は特定の主題領域を選択することができ、表示されたプレビュー画像は、その選択に基づいてフィルタリングされ、選択された主題領域内において利用可能なＶＲ旅行のみを表示することができる。
【００５０】
図６Ｅに示すように、ガイドデバイス１１０上でユーザインターフェイス６００から（例えば、図６Ａに示すように）検索アイコン６３０を選択する結果、検索画面６２２がガイドデバイス１１０上に開くことができる。検索画面６３２から、教師はＶＲ旅行を名前で検索することができる。例えば、教師が有名な美術館のＶＲ旅行を引率したい場合、教師は「美術館」という用語で検索するか、例えば「ルーヴル」などの特定の博物館を検索することができる。
【００５１】
図６Ｆに示すように、図６Ａのユーザインターフェイス６００は、利用可能なＶＲ旅行に対応する複数のプレビュー画像を上下にページングするために（例えば、タッチスクリーンジェスチャを使用して）スクロールすることができる。例えば、（例えば、図６Ａに示されたビューからのページングダウンまたはスクロールダウンの後、）フライト・オブ・フロンティアＶＲ旅行のためのプレビュー画像６４２が、図６Ｆに示されている。また、図６Ｆに示すように、図６Ａ〜図６Ｄと比較して、ユーザインターフェイス６００の上部に沿ったメニューおよびアイコンは、タイムアウトの後などに消えてもよい（自動非表示）。そのようなアプローチでは、メニューおよびアイコンは、ガイドデバイス１１０との対話（例えば、ガイドデバイス１１０のボタンおよび／またはタッチスクリーンとの対話）に応答して、再び現れてもよい。
【００５２】
図７Ａ、図７Ｂおよび図７Ｃは、実現例による、選択されたＶＲ旅行に含まれるパノラマ（フォトスフィア）の組からパノラマ（フォトスフィア）を選択および／または提示するためのユーザインターフェイス７００を示す図である。この例では、珊瑚礁ＶＲ旅行が図６Ａ〜図６Ｆのユーザインターフェイス６００から選択されている。図７Ａに示すように、ユーザインターフェイス７００は、（例えば、ユーザインターフェイス６００に戻る）戻るアイコン７１０、パノラマまたはフォトスフィア選択メニュー７２０、および選択されたＶＲ旅行のためのプレビュー画像７４０を含むことができる。
【００５３】
図７Ｂでは、メニュー７２０上でパノラマまたはフォトスフィア（例えば、ウイルソン島）の選択が強調表示されている。生徒がウィルソン島のＶＲパノラマまたはフォトスフィアおよびウィルソン島のＶＲパノラマまたはフォトスフィアに対応するプレビュー画像７４２を探索すること（見ること）を始めることを可能にするために、教師が選択する（押す、クリックするなど）することができるスタートボタン７４０がある。選択された旅行の利用可能なＶＲパノラマまたはフォトスフィアは、（例えば、ガイドデバイス１１０のタッチスクリーンインターフェイス上の左右スワイプ動作を使用して）メニュー７２０上をスクロールすることができる。特定の実現例では、メニュー７２０のオプションがスクロールされない所定の期間の後に、メニュー７２０の最も中央の選択用のプレビュー画像をロードすることができる。他の実現例では、選択されたＶＲパノラマまたはフォトスフィアが、ガイドデバイス１１０を使用して探検者デバイス１２０上で見るために開始されるまで、同じＶＲ旅行プレビュー画像７４０が表示され得る。
【００５４】
図７Ｃでは、ウィルソン島のＶＲパノラマまたはフォトスフィア７４４が開始され、表示されており、生徒は探検者デバイス１２０を使用して対応する３Ｄ空間を探索することができる。図７Ｃに示すように、メニュー（例えば、インターフェイス６００のトップメニューおよびメニュー７２０）は示されていない（例えば、ウィルソン島のＶＲパノラマまたはフォトスフィア７４４の選択に応答してタイムアウトしたか、または閉じられている）。本明細書で説明するように、生徒が選択されたＶＲパノラマまたはフォトスフィア７４４を探索している間に、スピーカ１４０を通して音声を再生することができる。そのような音声は、周囲の音（例えば、海の音）、ナレーション、音楽および／または他の音声を含むことができる。
【００５５】
図８Ａおよび図８Ｂは、実現例による、選択されたＶＲ旅行に含まれるパノラマ（フォトスフィア）の組からパノラマ（フォトスフィア）を選択および／または提示するための他のユーザインターフェイス８００を示す図である。図７Ａ〜図７Ｃでのように、この例では、珊瑚礁ＶＲ旅行が図６Ａ〜図６Ｆのユーザインターフェイス６００から選択されている。図８Ａに示すように、ユーザインターフェイス８００は、パネル化されたＶＲパノラマおよびフォトスフィア選択メニュー上にウィルソン島ＶＲパノラマまたはフォトスフィアのためのプレビュー画像８４０を含むことができる。
【００５６】
図８Ｂでは、ユーザインターフェイス８００のパノラマまたはフォトスフィア選択メニューは、リザード島ＶＲパノラマまたはフォトスフィアのためのプレビュー画像８４２を示すよう、右側にスクロールされている。そのようなアプローチでは、所定の期間の後（またはプレビュー画像８４２の選択に応じて）プレビュー画像８４２の表示を拡大することができ、および／またはプレビュー画像８４２にスタートボタンを追加することができ、対応するＶＲ旅行に参加する生徒が見るために、（例えば、プレビュー画像またはスタートボタンをクリックすることによって）リザード島ＶＲパノラマまたはフォトスフィアを選択することができる。再び、生徒がユーザインターフェイス８００を使用して選択されたＶＲパノラマまたはフォトスフィアを探索している間に、スピーカ１４０を通して音声を再生することができる。そのような音声は、周囲の音（例えば、海の音）、ナレーション、音楽および／または他の音声を含むことができる。
【００５７】
図９Ａ、図９Ｂ、図９Ｃおよび図９Ｄは、実現例による、選択されたＶＲ旅行に含まれるパノラマ（フォトスフィア）の組から選択されるＶＲパノラマ（フォトスフィア）を見るおよび／または提示するためのユーザインターフェイス９００を示す図である。図９Ａに示されているように、ユーザインターフェイス９００は、（現在選択されているＶＲパノラマもしくはフォトスフィアを見ることを停止する、および／またはＶＲ旅行を停止する）終了アイコン９１０と、選択されたＶＲ旅行タイトル９２０（珊瑚礁）と、選択されたＶＲパノラマまたはフォトスフィアのタイトル９３０（アポ島）と、音声ミュート／ミュート解除アイコン９４０と、情報パネル起動アイコン９５０と、探検者デバイス再生／一旦停止アイコン９６０およびアクションアイコン９７０（例えば、選択されたＶＲ旅行のＶＲパノラマまたはフォトスフィア間で切り替えるために使用することができる）と、画像属性フィールド９８０（選択されたＶＲパノラマもしくはフォトスフィアに関する著作権または他の情報を含むことができる）とを含み得る。
【００５８】
図９Ｂに示すように、先に論じたのと同様の態様で、ユーザインターフェイス９００の上部に沿って示されたメニュー項目は、隠すことができる（例えば、タイムアウト期間後に自動的にまたは手動で隠される）。図９Ｂに示すように、再生／一時停止アイコン９６０およびアクションアイコン９７０も、図９Ａのユーザインターフェイス９００の上部に沿って表示される他のメニュー項目とともに隠すことができる。
【００５９】
図９Ｃに示すように、ガイドデバイス１１０上で終了アイコン９１０を選択する結果、ガイドデバイス１１０に終了ダイアログボックス９９０が表示されてもよい。対応するＶＲ旅行を引率する教師は、次いで、現在選択されているＶＲ旅行を提示することをやめるか、または現在選択されているＶＲ旅行を提示し続けることを選択できる。図９Ｄに示すように、再生／一時停止アイコン９６０を選択する結果、現在のＶＲ旅行に接続されている（参加している）すべての探検者デバイスが一時停止（または再開）し、情報通知９６５を表示して、取られている、または取られた現在のアクションを示すことができる。同様に、ミュート／ミュート解除アイコン９４０の選択は、現在のＶＲ旅行に関連する音声をミュートまたはミュート解除することができ、アクションアイコン９７０の選択は、（例えば、ユーザインターフェイス７００および８００にあるような）ＶＲパノラマまたはフォトスフィア選択メニューを表示させて、選択されたＶＲパノラマまたはフォトスフィアを切り替えることができる。
【００６０】
図１０Ａ、図１０Ｂおよび図１０Ｃは、実現例による、ＶＲパノラマ（フォトスフィア）を指導的注釈および／または他の情報とともに見るおよび／または提示するための（ユーザインターフェイス９００と同様の特徴を有する）別のユーザインターフェイス１０００を示す図である。図１０Ａに示すように、ユーザインターフェイス１０００は、（現在選択されているＶＲパノラマおよび／またはフォトスフィアを見ることを停止するか、または現在のＶＲ旅行を停止する）終了アイコン１０１０と、選択されたＶＲ旅行タイトル１０２０（珊瑚礁）と、例えば、ユーザインターフェイス９００内のアイコン９５０によって起動することができる情報パネル（ドロワ）とを含み得る。
【００６１】
図１０Ａの情報パネル１０４０は、（現在見られているＶＲパノラマまたはフォトスフィアの地理的位置を示す）地図セクション１０４２と、現在のＶＲパノラマまたはフォトスフィアのタイトル（アポ島）および見られている場所に関する情報的注釈を含むことができる注釈セクション１０４４とを含むことができる。情報パネル１０４０はまた、音声ミュート／ミュート解除アイコン１０４６（情報パネル１０４０に関連する音声をミュート／ミュート解除することができる）と、情報パネル１０４０を閉じるために使用できる終了アイコン１０４８とを含むことができる。ユーザインターフェイス９００と比較して、ユーザインターフェイス１０００で見られている現在のＶＲパノラマまたはフォトスフィアのタイトルは、ＶＲ旅行のタイトル１０２０の次ではなく、情報パネル１０４０の注釈パネル１０４４に含まれる。
【００６２】
図１０Ｂは、終了アイコン１０１０、ＶＲ旅行タイトル１０２０、および情報パネル１０４０の地図パネル１０４２が隠れた（見えない）ユーザインターフェイス１０００を示しており、これは手動で、またはタイムアウト期間が経過した後に達成することができる。（例えば、ガイドデバイス１１０を使用して）ユーザインターフェイス１０００と対話することは、メニュー項目および／または地図パネル１０４２を再び表示させることができる。
【００６３】
図１０Ｃは、この例では、表示されたＶＲパノラマまたはフォトスフィアの一面を強調表示する（生徒の注意を引く）ために教師が使用できる（または関連するＶＲコンテンツに含まれ得る）サイトマーカー１０５０とともに表示されたユーザインターフェイス１０００を示す。図１０Ｃにおいて示されるように、サイトマーカー１０５０と対応する注釈１０５２は、ユーザインターフェイス１０００の情報パネル１０４０において強調表示することができる。サイトマーカー１０５０との対応で強調表示される特定の注釈は、（例えば図６Ｂおよび図６Ｃに関して記載されたように）設定メニューから選択され得るなどのように、ＶＲ旅行との関連において用いられる言語選択に依存してもよい。
【００６４】
図１１Ａ、図１１Ｂ、図１１Ｃ、図１１Ｄ、図１１Ｅ、図１１Ｆ、図１１Ｇおよび図１１Ｈは、実現例による、サイトマーカーおよび／または注視インジケータを含む（参加者デバイス１２０上に表示され得るようなユーザインターフェイス９００と同様の特徴を伴う）ユーザインターフェイス１１００を示す図である。図１１Ａに示すように、ユーザインターフェイス１１００は、ＶＲパノラマまたはフォトスフィアに示されたスキューバダイバーに、例えば生徒の注意を引くためのサイトマーカー１１５０を含み、スキューバダイバーは、ＶＲパノラマまたはフォトスフィアの現在の視野の中心にある。このパノラマまたはフォトスフィアを見ている生徒が、自分の頭を上および右に動かすなどして、自分の視線をサイトマーカー１１５０（およびスキューバダイバー）から遠ざけると、サイトマーカー１１５０は、探検者デバイス１２０によって表示されるように、図１１Ａと比較して、図１１Ｂに示すように、関心の対象（例えば、スキューバダイバー）とともに移動することができる。
【００６５】
ユーザインターフェイス１１００において、生徒が、その視線を、サイトマーカー１１５０および関連の関心の対象がＶＲパノラマまたはフォトスフィアの現在表示されている部分の外に移動するように、サイトマーカー１１５０および関連の関心の対象（スキューバダイバー）からそらし続ける場合、サイトマーカー１１５０は、形状を、図１１Ｃに示すサイトマーカー１１５２（矢印の形状）のような形（形状）に変更することができ、関心の対象が生徒の現在の視野の外にあることを示すことができる。図１１Ｃのサイトマーカー１１５２は、関心の対象を彼または彼女の視野に戻すために、彼または彼女の視線をどこに移動させるべきかについて生徒に方向的支援を提供することもできる。関心の対象が生徒の現在の視野内に戻ると、サイトマーカー１１５２はサイトマーカー１１５０に戻ることができる。他の実施態様では、他の構成を有するサイトマーカーを使用することができる。例えば、プッシュピンの画像によってサイトマーカー１１５０を表すことができるかもしれない。他の実施例では、関連する関心の対象が生徒の現在の視野外にあるときに使用されるサイトマーカー１１５２の長さおよび／もしくはサイズまたは他のサイトマーカー構成は、例えば、サイトマーカー１１５２のサイズを変えるなどして、関心の対象がＶＲパノラマまたはフォトスフィアの現在の視認可能部分（生徒の現在の視野）からどのくらい遠く離れているかの指標を提供することができる。
【００６６】
図１１Ｄにおいて、サイトマーカー１１５０は、ユーザインターフェイス１１００においてサイトマーカー１１５０のタイムアウト期間（５０％で示される）を追跡するために使用できるドエルタイマを含むものとして示されている。例えば、いくつかの実現例ではサイトマーカー１１５０は、所定の期間の間ユーザインターフェイス１１００において継続的に表示された後、タイムアウトしてから消えてもよい（もはや表示されなくてもよい）ので、ユーザインターフェイス１１００に示されたＶＲパノラマまたはフォトスフィアの生徒の視野を持続的に妨げないようにすることができる。
【００６７】
図１１Ｄのユーザインターフェイス１１００はまた、現在のＶＲ旅行に接続された各生徒の視線がどこを見ているかを教師に示すことができる注視インジケータ１１６０を含む。これらの注視インジケータに基づいて、教師は生徒に関心の対象に向かって視線を動かすよう指示できる。例えば、各注視インジケータ１１６０は、それぞれの生徒の現在の視野の中心点を示すことができ、各生徒は、異なる注視インジケータ１１６０アイコンによって表される。また、図１１Ｅ〜図１１Ｈは、ＶＲ旅行に参加している間に探検者デバイス１２０を使用して表示され得るような、ドエルタイムインジケータを伴うサイトマーカー１１５０および１１５２の実現を示す立体画像を示す。
【００６８】
図１２は、実現例による別のサイトマーカー構成１２５０を示す立体画像１２００である。画像１２５０では、サイトマーカー１２５０はプッシュピンの画像を用いて実現される。そのような実現例では、ドエルタイマタイムアウト期間の進行は、タイムアウト期間が経過するにつれて、青から赤のようにプッシュピンの色を徐々に変化させて、ピンを底から徐々に赤色で充填することによって示すことができる。
【００６９】
図１３Ａ、図１３Ｂ、図１３Ｃ、図１３Ｄ、図１３Ｅ、および図１３Ｆは、実現例による、図１のシステムとの関連で（例えば、探検者／生徒デバイス１２０上で）実施することができるステータス画面表示１３１０，１３２０，１３３０，１３４０，１３５０および１３６０を示す図である。図１３Ａ〜図１３Ｆの例では、システム１００の探検者デバイス１２０は、非統合電子デバイス１２４およびＶＲビューア１２２を使用して実現することができ、電子デバイス１２４は、ＶＲ旅行の開始時にＶＲビューア１２２に挿入され得、ＶＲ旅行が終了した後にＶＲビューア１２２から除去され得る。
【００７０】
この例では、図１３Ａは、生徒がシステム１００を用いて行く（提示される）ＶＲ旅行に参加するために、電子デバイス１２４がルータ１３０および／またはシステム１００のガイドデバイス１１０と接続するプロセス中に表示され得るステータス画面１３１０を示している。図１３Ｂは、電子デバイス１２４が探検者アプリケーション１２６をロード／起動するプロセス中に表示され得るステータス画面１３２０を示す。図１３Ｃは、探検者アプリケーション１２６がロードされた後、電子デバイス１２４がＶＲビューア１２２（例えば、ボール紙ビューア）に挿入される準備が整ったときに表示され得るステータス画面１３３０を示す。
【００７１】
図１３Ｄは、電子デバイスが（例えば、ガイドデバイス１１０から、および／または探検者アプリケーション１２６に）ＶＲ旅行のための仮想トリップコンテンツをロードしている、および／または教師（指導者）がＶＲ旅行を開始するのを待っていることを示すために表示され得る立体視ステータス画面１３４０を示す。図１３Ｅは、探検者デバイス１２０の電子デバイス１２４が、ＶＲ旅行を開始したり、ＶＲ旅行における新たなＶＲパノラマまたはフォトスフィアの探索を開始したりするなど、教師によるアクションを待っていることを示すために表示され得るステータス画面１３５０を示す。図１３Ｆは、ＶＲ旅行が教師（リーダー）によって一時停止されたことを示すために表示され得るステータス画面１３６０を示す。
【００７２】
図１４Ａ、図１４Ｂ、図１４Ｃ、図１４Ｄおよび図１４Ｅは、実現例による、ＶＲ旅行（フィールドトリップ）を選択および／または提示し、選択されたＶＲ旅行内でパノラマ（またはフォトスフィア）を選択および／または提示するための別のユーザインターフェイス１４００を示す図である。図１４Ａに示すように、ユーザインターフェイス１４００は、メインメニュー起動アイコン１４１０、および世界の七不思議ＶＲ旅行のためのプレビュー画像１４２０を含む、利用可能な旅行のための複数のプレビュー画像を含むことができる。いくつかの実施例では、複数のプレビュー画像は、他の利用可能なＶＲ旅行を見るためにスクロール（例えば、上下および左右）することができる。
【００７３】
図１４Ｂは図１４Ａにおいて示されるようなプレビュー画像１４２０の選択の後におけるユーザインターフェイス１４００を示す。図１４Ｂのユーザインターフェイス１４００は、（ユーザインターフェイス１４００が、図１４Ａに示す複数のＶＲ旅行プレビュー画像に戻る結果となってもよい）戻るアイコン１４１５、選択されたＶＲ旅行のための利用可能なＶＲパノラマまたはフォトスフィアのためのプレビュー画像のメニュー１４３０、およびＶＲ旅行に接続された生徒数のインジケータ１４３２を含む。
【００７４】
図１４Ｃでは、ユーザインターフェイス１４００は、世界の七不思議ＶＲ旅行内でマチュピチュＶＲパノラマのためにプレビュー画像１４４０を強調表示した後に示される。図１４Ｃに示すように、ユーザインターフェイス１４００は、図１４Ａに示すＶＲ旅行選択画面にユーザインターフェイス１４００を戻すことができる終了アイコン１４１７を含む。さらに、図１４Ｃでは、プレビュー画像１４４０の強調表示に応答して、より大きなプレビュー画像１４４２がロードされる。また、図１４Ｃでは、ＶＲ旅行に接続された探検者デバイスの数を示すインジケータ１４３２が、図１４Ａに示したようにユーザインターフェイス１４００の中心から、ユーザインターフェイス１４００の右上隅に移動される。
【００７５】
（例えば、図１４Ｃには示されていないスタートボタンを使用して）マチュピチュＶＲパノラマまたはフォトスフィアを開始／ロードした後、ユーザインターフェイス１４００は、図１４Ｄに示すように現れてもよい。図１４Ｄに示されるように、ユーザインターフェイス１４００は、選択されたＶＲパノラマまたはフォトスフィアにおける手書き表記の入力を有効／無効にするために使用され得るボタン１４５０を含む。図１４Ｄのユーザインターフェイス１４００はまた、ＶＲ旅行に参加している探検者デバイス１２０上で選択されたＶＲパノラマまたはフォトスフィアの自動パンを有効／無効にするために使用され得るボタン１４６０を含む。図１４Ｅは、ユーザインターフェイス１４００を、ユーザインターフェイス１４００の上部に沿ったメニュー項目ならびにボタン１４５０および１４６０が（例えば、自動隠しタイムアウト期間が経過した後）隠された状態で、示す。
【００７６】
図１５Ａおよび図１５Ｂは、実現例による、ＶＲ旅行における手書き表記を提示するためのユーザインターフェイス１５００および１５５０を示す図である。図１５Ａは、システム１００のガイドデバイス１１０に表示されてもよいように、川を示す円を伴う「ＲＩＶＥＲ（川）」の手書き表記を伴うユーザインターフェイス１５００を示す。図１５Ｂは、対応するＶＲ旅行に関連付けられた探検者デバイス１２０上に表示され得るように、図１５Ａの手書き表記を伴う立体視ユーザインターフェイス画像１５５０を示す。
【００７７】
図１６Ａおよび図１６Ｂは、実現例による、ＶＲ旅行における注目点を記すためのタッチスクリーン入力の使用を示す図である。図１６Ａおよび図１６Ｂに示すアプローチでは、ＶＲ旅行を引率する教師は、タッチスクリーンディスプレイと対話することによって注目点を示すことができる。例えば、教師は、タッチスクリーンディスプレイ上で注目点（例えば、図１５Ａおよび図１５Ｂに記された川）において「長押し」を実行してもよい。長押しの後、注目点は、システム１００のガイドデバイス１１０上で、図１６Ａに示される同心円サイトマーカー１６４０でマークされてもよい。図１６Ｂは、注目点を示すために対応するＶＲ旅行に関連付けられた探検者デバイス１２０上に表示され得るように、図１６Ａの同心円サイトマーカー１６４０を伴う立体視ユーザインターフェイス画像１６５０を示す。他の実施態様では、図１６Ａおよび図１６Ｂは、本明細書に記載のサイトマーカーに対応する外観または他の外観を有するサイトマーカーなどの異なる外観を有し得る。
【００７８】
図１７は、実現例による、ＶＲ旅行における注目点を記すユーザインターフェイス１７００を示す図である。図１７におけるユーザインターフェイス１７００における注目点は、サイトマーカー１７５０によって示される。図１７のサイトマーカー１７５０は、（例えば、メニュー選択または他の適切な機構を介して）関連付けられる探検者デバイス１２０上で入力機構を使用するなどして、対応するＶＲ旅行を体験する生徒（参加者）によって追加されてもよい。本明細書に記載されているような指向性サイトマーカーおよび注視インジケータは、例えば、図１１Ａ〜図１１Ｈに示されたアプローチとの関連で使用することもできる。
【００７９】
一般的な態様において、システムはリーダーデバイスを含み得る。リーダーデバイスは、それぞれの仮想現実（ＶＲ）コンテンツに対応する複数のプレビュー画像を表示するように構成されたインターフェイスを含み得る。リーダーデバイスは、複数のプレビュー画像のうちのプレビュー画像を選択するように構成された選択デバイスと、選択されたプレビュー画像に関連付けられるそれぞれのＶＲコンテンツの提示を制御するように構成されたリーダーアプリケーションとを含むこともできる。システムは、リーダーデバイスと動作可能に結合される複数の参加者デバイスをさらに含み得る。複数の参加者デバイスの各参加者デバイスは、リーダーデバイスに応答して、選択されたプレビュー画像に対応するそれぞれのＶＲコンテンツに含まれる少なくとも１つの画像を表示するように構成され得る。
【００８０】
実現例は、以下の特徴の１つ以上を含み得る。例えば、少なくとも１つの画像は、３次元（３Ｄ）パノラマを含み得る。少なくとも１つの画像は３Ｄフォトスフィアを含み得る。
【００８１】
システムはデータネットワークルータを含み得る。複数の参加者デバイスは、データネットワークルータを介してリーダーデバイスと動作可能に結合され得る。リーダーデバイスは無線データネットワークインターフェイスを含むことができる。複数の参加者デバイスは、無線データネットワークインターフェイスを介してリーダーデバイスと動作可能に結合され得る。
【００８２】
システムは、リーダーデバイスに応答して、選択されたプレビュー画像に関連付けられる選択されたＶＲコンテンツの音声コンテンツを再生するように構成された少なくとも１つの音声デバイスを含み得る。少なくとも１つの音声デバイスは、リーダーデバイスと無線で結合され得る。少なくとも１つの音声デバイスは複数の音声デバイスを含むことができる。複数の音声デバイスの各音声デバイスは、複数の参加者デバイスのそれぞれの参加者デバイスに含まれ得る。
【００８３】
インターフェイスは、選択されたプレビュー画像に関連付けられるそれぞれのＶＲコンテンツの提示中に、複数の注視インジケータを表示するように構成され得る。複数の注視インジケータの各注視インジケータは、複数の参加者デバイスのそれぞれの参加者デバイスに対応し得、選択されたプレビュー画像に関連付けられるそれぞれのＶＲコンテンツ内においてそれぞれの参加者のユーザが現在見ている場所を示す。
【００８４】
参加者デバイスの各々は、ＶＲ視覚コンテンツビューアを含み得る。
インターフェイスは、選択されたプレビュー画像に関連付けられるそれぞれのＶＲコンテンツの提示中に、選択されたプレビュー画像に関連付けられるそれぞれのＶＲコンテンツに対応する情報を含むパネルを表示するように構成され得る。リーダーデバイスはさらにパネルからの情報の提示を容易にするように構成することができる。パネルからの情報の提示は、複数の参加者デバイス上にテキスト注釈を表示すること、リーダーデバイスと動作可能に結合される少なくとも１つの音声デバイス上で音声クリップを再生すること、および／または複数の参加者デバイスに地図を表示することを含み得る。
【００８５】
インターフェイスは、選択されたプレビュー画像に関連付けられるそれぞれのＶＲコンテンツの提示中に、選択されたプレビュー画像に関連付けられるそれぞれのＶＲコンテンツにおける注目点を示す選択を受信するように構成され得る。複数の参加者デバイスは、さらに、注目点を示す選択に応答して、選択された注目点に関連してマーカーを表示するように構成され得る。マーカーは、各参加者デバイスについて、注目点が、参加者デバイスのそれぞれの視野内にあるか外にあるかを示し得る。注目点を示す選択を受信することは、リーダーデバイスのタッチスクリーン上においてインターフェイス内で入力を受信することを含み得る。マーカーは、マーカーと対応するドエルタイムの表示を含み得る。マーカーは、ドエルタイムの終了の後に消滅するよう構成され得る。
【００８６】
システムは、リーダーデバイスおよび複数の参加者デバイスを収納および充電するように構成されたコンテナを含み得る。
【００８７】
インターフェイスは少なくとも１つのボタンを含み得る。リーダーデバイス上における少なくとも１つのボタンのうちのボタンの選択は、複数の参加者デバイスの各参加者デバイス上で対応する機能を同時に制御し得る。
【００８８】
インターフェイスは、リーダーデバイスと動作可能に結合される参加者デバイスの数の表示を含み得る。
【００８９】
別の一般的な局面では、システムは、図１および図４に示され上に記載されるリーダーデバイス手段のようなリーダーデバイス手段を含み得る。リーダーデバイス手段は、図６Ａ〜図１０Ｃおよび図１４Ａ〜図１７に示され、本明細書に記載されるインターフェイス手段のような、複数のプレビュー画像を表示するためのインターフェイス手段を含み得る。各プレビュー画像はそれぞれの仮想現実（ＶＲ）コンテンツと対応し得る。リーダーデバイス手段は、複数のプレビュー画像のうちのプレビュー画像を選択するためのタッチスクリーン、マウス、トラックパッドなどを含む、本明細書に記載の選択手段のような、選択手段をさらに含み得る。リーダーデバイス手段は、さらに、図４に示され、本明細書で説明されるリーダー（ガイド）アプリケーション１１２のような、選択されたプレビュー画像に関連付けられるそれぞれのＶＲコンテンツの提示を制御するためのリーダーアプリケーション手段を含み得る。システムは、図１および図５に示され、本明細書に記載されるような参加者（探検者）デバイスのような、リーダーデバイス手段と動作可能に結合される複数の参加者デバイス手段をさらに含み得る。複数の参加者デバイス手段の各参加者デバイス手段は、リーダーデバイス手段に応答して、選択されたプレビュー画像に対応するそれぞれのＶＲコンテンツに含まれる少なくとも１つの画像を表示するためのものである。
【００９０】
実現例は、以下の特徴の１つ以上を含み得る。例えば、システムは、図１に示され、本明細書に記載されるような、複数の参加者デバイス手段をリーダーデバイス手段と動作可能に結合するためのデータネットワーク接続手段を含み得る。システムは、例えば、本明細書に記載され、図１に示されるような、リーダーデバイス手段に応答して、選択されたプレビュー画像に関連付けられる選択されたＶＲコンテンツの音声コンテンツを再生するための音声デバイス手段をさらに含み得る。
【００９１】
図１８は、本明細書に記載の技術とともに用いられ得る汎用コンピュータデバイス１８００および汎用モバイルコンピュータデバイス１８５０の例を示す。コンピューティングデバイス１８００は、ラップトップ、デスクトップ、ワークステーション、携帯情報端末、サーバ、ブレードサーバ、メインフレーム、および他の適切なコンピュータといった、さまざまな形態のデジタルコンピュータを表わすことを意図している。コンピューティングデバイス１８５０は、携帯情報端末、セルラー電話、スマートフォン、および他の同様のコンピューティングデバイスといった、さまざまな形態のモバイルデバイスを表わすことを意図している。ここに示すコンポーネント、それらの接続および関係、ならびにそれらの機能は例示であることが意図されているに過ぎず、本文書に記載のおよび／または請求項に記載の本発明の実現例を限定することを意図していない。
【００９２】
コンピューティングデバイス１８００は、プロセッサ１８０２、メモリ１８０４、記憶装置１８０６、メモリ１８０４および高速拡張ポート１８１０に接続している高速インターフェイス１８０８、ならびに低速バス１８１４および記憶装置１８０６に接続している低速インターフェイス１８１２を含む。コンポーネント１８０２，１８０４，１８０６，１８０８，１８１０および１８１２の各々はさまざまなバスを用いて相互に接続されており、共通のマザーボード上にまたは他の態様で適宜搭載され得る。プロセッサ１８０２は、コンピューティングデバイス１８００内で実行される命令を処理可能であり、この命令には、ＧＵＩのためのグラフィック情報を高速インターフェイス１８０８に結合されているディスプレイ１８１６などの外部入出力デバイス上に表示するためにメモリ１８０４内または記憶装置１８０６上に記憶されている命令が含まれる。他の実現例では、複数のプロセッサおよび／または複数のバスが、複数のメモリおよび複数種類のメモリとともに必要に応じて用いられ得る。また、複数のコンピューティングデバイス１８００が接続され得、各デバイスは（例えばサーババンク、ブレードサーバのグループ、またはマルチプロセッサシステムとして）必要な動作の一部を提供する。
【００９３】
メモリ１８０４は情報をコンピューティングデバイス１８００内に記憶する。一実現例では、メモリ１８０４は１つまたは複数の揮発性メモリユニットである。別の実現例では、メモリ１８０４は１つまたは複数の不揮発性メモリユニットである。また、メモリ１８０４は、磁気ディスクまたは光ディスクといった別の形態のコンピュータ読取可能媒体であってもよい。
【００９４】
記憶装置１８０６は、コンピューティングデバイス１８００に大容量記憶を提供可能である。一実現例では、記憶装置１８０６は、フロッピー（登録商標）ディスクデバイス、ハードディスクデバイス、光ディスクデバイス、またはテープデバイス、フラッシュメモリもしくは他の同様のソリッドステートメモリデバイス、またはストレージエリアネットワークもしくは他のコンフィギュレーションにおけるデバイスを含む多数のデバイスといった、コンピュータ読取可能媒体であってもよく、または当該コンピュータ読取可能媒体を含んでいてもよい。コンピュータプログラムプロダクトが情報媒体内に有形に具体化され得る。また、コンピュータプログラムプロダクトは、実行されると上述のような１つ以上の方法を実行する命令を含み得る。情報媒体は、メモリ１８０４、記憶装置１８０６、またはプロセッサ１８０２上のメモリといった、コンピュータ読取可能媒体または機械読取可能媒体である。
【００９５】
高速コントローラ１８０８はコンピューティングデバイス１８００のための帯域幅集約的な動作を管理するのに対して、低速コントローラ１８１２はより低い帯域幅集約的な動作を管理する。そのような機能の割当ては例示に過ぎない。一実現例では、高速コントローラ１８０８はメモリ１８０４、ディスプレイ１８１６に（例えばグラフィックスプロセッサまたはアクセラレータを介して）、およびさまざまな拡張カード（図示せず）を受付け得る高速拡張ポート１８１０に結合される。当該実現例では、低速コントローラ１８１２は記憶装置１８０６および低速拡張ポート１８１４に結合される。さまざまな通信ポート（例えばＵＳＢ、ブルートゥース（登録商標）、イーサネット（登録商標）、無線イーサネット）を含み得る低速拡張ポートは、キーボード、ポインティングデバイス、スキャナ、またはスイッチもしくはルータといったネットワーキングデバイスなどの１つ以上の入出力デバイスに、例えばネットワークアダプタを介して結合され得る。
【００９６】
コンピューティングデバイス１８００は、図に示すように多数の異なる形態で実現されてもよい。例えば、コンピューティングデバイス１８００は標準的なサーバ１８２０として、またはそのようなサーバのグループ内で複数回実現されてもよい。また、コンピューティングデバイス１８００はラックサーバシステム１８２４の一部として実現されてもよい。さらに、コンピューティングデバイス１８００はラップトップコンピュータ１８２２などのパーソナルコンピュータにおいて実現されてもよい。あるいは、コンピューティングデバイス１８００からのコンポーネントは、デバイス１８５０などのモバイルデバイス（図示せず）内の他のコンポーネントと組合されてもよい。そのようなデバイスの各々がコンピューティングデバイス１８００，１８５０の１つ以上を含んでいてもよく、システム全体が、互いに通信する複数のコンピューティングデバイス１８００，１８５０で構成されてもよい。
【００９７】
コンピューティングデバイス１８５０は、数あるコンポーネントの中でも特に、プロセッサ１８５２、メモリ１８６４、ディスプレイ１８５４などの入出力デバイス、通信インターフェイス１８６６、およびトランシーバ１８６８を含む。また、デバイス１８５０には、マイクロドライブまたは他のデバイスなどの記憶装置が提供されて付加的なストレージが提供されてもよい。コンポーネント１８５０，１８５２，１８６４，１８５４，１８６６および１８６８の各々はさまざまなバスを用いて相互に接続されており、当該コンポーネントのいくつかは共通のマザーボード上にまたは他の態様で適宜搭載され得る。
【００９８】
プロセッサ１８５２は、メモリ１８６４に記憶されている命令を含む、コンピューティングデバイス１８５０内の命令を実行可能である。プロセッサは、別個の複数のアナログおよびデジタルプロセッサを含むチップのチップセットとして実現されてもよい。プロセッサは、例えば、ユーザインターフェイス、デバイス１８５０が実行するアプリケーション、およびデバイス１８５０による無線通信の制御といった、デバイス１８５０の他のコンポーネントの協調を提供し得る。
【００９９】
プロセッサ１８５２は、ディスプレイ１８５４に結合された制御インターフェイス１８５８およびディスプレイインターフェイス１８５６を介してユーザと通信し得る。ディスプレイ１８５４は、例えば、ＴＦＴ  ＬＣＤ（薄膜トランジスタ液晶ディスプレイ）もしくはＯＬＥＤ（有機発光ダイオード）ディスプレイ、または他の適切なディスプレイ技術であり得る。ディスプレイインターフェイス１８５６は、ディスプレイ１８５４を駆動してグラフィックおよび他の情報をユーザに提示するための適切な回路を含み得る。制御インターフェイス１８５８はユーザからコマンドを受信し、当該コマンドをプロセッサ１８５２に提出するために変換し得る。さらに、外部インターフェイス１８６２が、デバイス１８５０と他のデバイスとの隣接通信を可能にするために、プロセッサ１８５２と通信した状態で提供されてもよい。外部インターフェイス１８６２は、例えば、ある実現例では有線通信を提供し、他の実現例では無線通信を提供してもよく、また、複数のインターフェイスが用いられてもよい。
【０１００】
メモリ１８６４は情報をコンピューティングデバイス１８５０内に記憶する。メモリ１８６４は、１つもしくは複数のコンピュータ読取可能媒体、１つもしくは複数の揮発性メモリユニット、または１つもしくは複数の不揮発性メモリユニットの１つ以上として実現され得る。さらに、拡張メモリ１８７４が提供され、例えばＳＩＭＭ（Single In Line Memory Module）カードインターフェイスを含み得る拡張インターフェイス１８７２を介してデバイス１８５０に接続されてもよい。このような拡張メモリ１８７４はデバイス１８５０に余分のストレージスペースを提供し得るか、またはデバイス１８５０のためのアプリケーションもしくは他の情報をさらに記憶し得る。具体的には、拡張メモリ１８７４は上述のプロセスを実行または補足するための命令を含み得、さらにセキュア情報を含み得る。ゆえに、例えば、拡張メモリ１８７４はデバイス１８５０のためのセキュリティモジュールとして提供されてもよく、デバイス１８５０のセキュアな使用を許可する命令でプログラムされてもよい。さらに、ハッキング不可能なようにＳＩＭＭカード上に識別情報を置くといったように、セキュアなアプリケーションが付加的な情報とともにＳＩＭＭカードを介して提供されてもよい。
【０１０１】
メモリは、以下に記載のように、例えばフラッシュメモリおよび／またはＮＶＲＡＭメモリを含み得る。一実現例では、コンピュータプログラムプロダクトが情報媒体内に有形に具体化される。コンピュータプログラムプロダクトは、実行されると上述のような１つ以上の方法を実行する命令を含む。情報媒体は、メモリ１８６４、拡張メモリ１８７４、またはプロセッサ１８５２上のメモリといった、コンピュータ読取可能媒体または機械読取可能媒体であり、これは、例えばトランシーバ１８６８または外部インターフェイス１８６２上で受信され得る。
【０１０２】
デバイス１８５０は、必要に応じてデジタル信号処理回路を含み得る通信インターフェイス１８６６を介して無線通信し得る。通信インターフェイス１８６６は、とりわけ、ＧＳＭ（登録商標）音声通話、ＳＭＳ、ＥＭＳ、またはＭＭＳメッセージング、ＣＤＭＡ、ＴＤＭＡ、ＰＤＣ、ＷＣＤＭＡ（登録商標）、ＣＤＭＡ２０００、またはＧＰＲＳといった、さまざまなモードまたはプロトコル下の通信を提供し得る。そのような通信は、例えば無線周波数トランシーバ１８６８を介して起こり得る。さらに、ブルートゥース、Ｗｉ−Ｆｉ、または他のそのようなトランシーバ（図示せず）を用いるなどして、短距離通信が起こり得る。さらに、ＧＰＳ（全地球測位システム）レシーバモジュール１８７０が付加的なナビゲーション関連および位置関連の無線データをデバイス１８５０に提供し得、当該データはデバイス１８５０上で実行されるアプリケーションによって適宜用いられ得る。
【０１０３】
また、デバイス１８５０は、ユーザから口頭情報を受信して当該情報を使用可能なデジタル情報に変換し得る音声コーデック１８６０を用いて可聴的に通信し得る。音声コーデック１８６０も同様に、例えばデバイス１８５０のハンドセット内で、スピーカを介すなどしてユーザに可聴音を生成し得る。そのような音は音声電話からの音を含んでいてもよく、録音された音（例えば音声メッセージ、音楽ファイル等）を含んでいてもよく、さらに、デバイス１８５０上で実行されるアプリケーションが生成する音を含んでいてもよい。
【０１０４】
コンピューティングデバイス１８５０は、図に示すように多数の異なる形態で実現されてもよい。例えば、コンピューティングデバイス１８５０はセルラー電話１８８０として実現されてもよい。また、コンピューティングデバイス１８５０は、スマートフォン１８８２、携帯情報端末、または他の同様のモバイルデバイスの一部として実現されてもよい。
【０１０５】
本明細書に記載のシステムおよび技術のさまざまな実現例は、デジタル電子回路、集積回路、特別に設計されたＡＳＩＣ（特定用途向け集積回路）、コンピュータハードウェア、ファームウェア、ソフトウェア、および／またはそれらの組合せで実現され得る。これらのさまざまな実現例は、少なくとも１つのプログラマブルプロセッサを含むプログラマブルシステム上で実行可能および／または解釈可能な１つ以上のコンピュータプログラムにおける実現例を含んでいてもよく、当該プロセッサは専用であっても汎用であってもよく、ストレージシステム、少なくとも１つの入力デバイス、および少なくとも１つの出力デバイスからデータおよび命令を受信するように、かつこれらにデータおよび命令を送信するように結合されている。
【０１０６】
これらのコンピュータプログラム（プログラム、ソフトウェア、ソフトウェアアプリケーションまたはコードとしても公知）はプログラマブルプロセッサのための機械命令を含んでおり、高レベル手続きおよび／もしくはオブジェクト指向プログラミング言語で、ならびに／またはアセンブリ／機械言語で実現され得る。本明細書において使用する「機械読取可能媒体」「コンピュータ読取可能媒体」という用語は、機械命令および／またはデータをプログラマブルプロセッサに提供するために用いられる任意のコンピュータプログラムプロダクト、装置および／またはデバイス（例えば磁気ディスク、光ディスク、メモリ、プログラマブルロジックデバイス（ＰＬＤ））を指し、機械命令を機械読取可能信号として受信する機械読取可能媒体を含む。「機械読取可能信号」という用語は、機械命令および／またはデータをプログラマブルプロセッサに提供するために用いられる任意の信号を指す。
【０１０７】
ユーザとの対話を提供するために、本明細書に記載のシステムおよび技術は、情報をユーザに表示するためのディスプレイデバイス（例えばＣＲＴ（陰極線管）またはＬＣＤ（液晶ディスプレイ）モニタ）と、ユーザが入力をコンピュータに提供する際に使用可能なキーボードおよびポインティングデバイス（例えばマウスまたはトラックボール）とを有するコンピュータ上で実現され得る。他の種類のデバイスを用いてユーザとの対話を提供することもでき、例えば、ユーザに提供されるフィードバックは任意の形態の感覚フィードバック（例えば視覚フィードバック、聴覚フィードバック、または触覚フィードバック）であり得、ユーザからの入力は、音響、スピーチ、または触覚入力を含む任意の形態で受信され得る。
【０１０８】
本明細書に記載のシステムおよび技術は、バックエンドコンポーネントを（例えばデータサーバとして）含む、またはミドルウェアコンポーネントを（例えばアプリケーションサーバとして）含む、またはフロントエンドコンポーネント（例えば、ユーザが上記のシステムおよび技術の実現例と対話する際に使用可能なグラフィックユーザインターフェイスもしくはウェブブラウザを有するクライアントコンピュータ）、またはそのようなバックエンド、ミドルウェア、もしくはフロントエンドコンポーネントの任意の組合せを含むコンピューティングシステムにおいて実現され得る。システムのコンポーネントは、任意の形態または媒体のデジタルデータ通信（例えば通信ネットワーク）によって相互に接続され得る。通信ネットワークの例として、ローカルエリアネットワーク（「ＬＡＮ」）、ワイドエリアネットワーク（「ＷＡＮ」）、およびインターネットが挙げられる。
【０１０９】
コンピューティングシステムはクライアントおよびサーバを含み得る。クライアントおよびサーバは一般に互いにリモートであり、典型的に通信ネットワークを介して対話する。クライアントとサーバとの関係は、それぞれのコンピュータ上で実行されて互いにクライアント−サーバ関係を有するコンピュータプログラムによって生じる。
【０１１０】
多数の実施形態を説明した。しかしながら、明細書の精神および範囲から逸脱することなくさまざまな変更がなされ得ることが理解されるであろう。
【０１１１】
また、図面に示す論理フローは、所望の結果を達成するために、示されている特定の順序、または起こる順序を必要としない。また、記載のフローとは他のステップが提供されてもよく、または当該フローからステップが除去されてもよく、記載のシステムに他のコンポーネントが追加されてもよく、または当該システムからコンポーネントが除去されてもよい。したがって、他の実施形態も以下の請求項の範囲内にある。
【図１】
0006524253.tif 000002
【図２】
0006524253.tif 000003
【図３】
0006524253.tif 000004
【図４】
0006524253.tif 000005
【図５】
0006524253.tif 000006
【図６Ａ】
0006524253.tif 000007
【図６Ｂ】
0006524253.tif 000008
【図６Ｃ】
0006524253.tif 000009
【図６Ｄ】
0006524253.tif 000010
【図６Ｅ】
0006524253.tif 000011
【図６Ｆ】
0006524253.tif 000012
【図７Ａ】
0006524253.tif 000013
【図７Ｂ】
0006524253.tif 000014
【図７Ｃ】
0006524253.tif 000015
【図８Ａ】
0006524253.tif 000016
【図８Ｂ】
0006524253.tif 000017
【図９Ａ】
0006524253.tif 000018
【図９Ｂ】
0006524253.tif 000019
【図９Ｃ】
0006524253.tif 000020
【図９Ｄ】
0006524253.tif 000021
【図１０Ａ】
0006524253.tif 000022
【図１０Ｂ】
0006524253.tif 000023
【図１０Ｃ】
0006524253.tif 000024
【図１１Ａ】
0006524253.tif 000025
【図１１Ｂ】
0006524253.tif 000026
【図１１Ｃ】
0006524253.tif 000027
【図１１Ｄ】
0006524253.tif 000028
【図１１Ｅ】
0006524253.tif 000029
【図１１Ｆ】
0006524253.tif 000030
【図１１Ｇ】
0006524253.tif 000031
【図１１Ｈ】
0006524253.tif 000032
【図１２】
0006524253.tif 000033
【図１３Ａ】
0006524253.tif 000034
【図１３Ｂ】
0006524253.tif 000035
【図１３Ｃ】
0006524253.tif 000036
【図１３Ｄ】
0006524253.tif 000037
【図１３Ｅ】
0006524253.tif 000038
【図１３Ｆ】
0006524253.tif 000039
【図１４Ａ】
0006524253.tif 000040
【図１４Ｂ】
0006524253.tif 000041
【図１４Ｃ】
0006524253.tif 000042
【図１４Ｄ】
0006524253.tif 000043
【図１４Ｅ】
0006524253.tif 000044
【図１５Ａ】
0006524253.tif 000045
【図１５Ｂ】
0006524253.tif 000046
【図１６Ａ】
0006524253.tif 000047
【図１６Ｂ】
0006524253.tif 000048
【図１７】
0006524253.tif 000049
【図１８】
0006524253.tif 000050